(57)【要約】      （修正有）【課題】専門的な知識を持たなくとも、使用時には安定して自立可能な表示具を容易に形成でき、未使用時には場所を取らずに保管でき、さらに、名前表示具として使用した後にも二次利用できるシート状表示具基材及びシート状表示具基材体を提供する。【解決手段】切り取るためのガイドとなり、切り取られることで、一または複数のシート状部材を形成するための切取線である第一ミシン目１１ａ〜１１ｄと、シート状部材を折り曲げるためのガイドとなり、折り曲げられることで、シート状部材から立体型表示具を形成するための折曲線であり、且つ、シート状部を切り取るためのガイドともなり、切り取られることでカード型表示具を形成するための切取線でもある第二ミシン目１２ａ〜１２ｆとを備える。【選択図】図１
0003213735.tif 000002
【実用新案登録請求の範囲】
【請求項１】
切り取るためのガイドとなり、該ガイドに基づいて切り取られることで、一または複数のシート状部材を形成するための切取線である第一ガイドと、
前記第一ガイドに基づいて切り取られたシート状部材を折り曲げるためのガイドとなり、該ガイドに基づいて折り曲げられることで、前記シート状部材から立体型表示具を形成するための折曲線であり、且つ、前記第一ガイドに基づいて切り取られたシート状部材を切り取るためのガイドともなり、該ガイドに基づいて切り取られることでカード型表示具を形成するための切取線でもある第二ガイドと、
を備えるシート状表示具基材。
【請求項２】
請求項１に記載のシート状表示具基材であって、さらに、
前記第一ガイドに基づいて切り取られたシート状部材を折り曲げるためのガイドとなり、該ガイドに基づいて折り曲げられることで、前記第二ガイドと協働して該シート状部材から立体型表示具を形成すると共に、前記立体型表示具から折り畳み式カード型表示具を形成するための折曲線である第三ガイドを備えるシート状表示具基材。
【請求項３】
請求項１または請求項２に記載のシート状表示具基材であって、さらに、
前記第一ガイドに基づいて切り取られたシート状部材を切り取るためのガイドとなり、該ガイド、または、該ガイド及び第二ガイドに基づいて切り取られることでカード型表示具を形成するための切取線である第四ガイドを備えるシート状表示具基材。
【請求項４】
請求項１〜３のいずれか一に記載のシート状表示具基材であって、さらに、
前記第二ガイド及び第四ガイドのうち少なくとも一方に基づいて切り取られたカード型表示具を折り曲げるためのガイドとなり、該ガイドに基づいて折り曲げられることで折り畳み式カード型表示具を形成するための折曲線である第五ガイドを備えるシート状表示具基材。
【請求項５】
請求項１〜４のいずれか一に記載のシート状表示具基材であって、
前記第一ガイド、第二ガイド、及び、第四ガイドのうち少なくとも一が脆弱な連結部分であることを特徴とするシート状表示具基材。
【請求項６】
請求項５に記載のシート状表示具基材であって、
前記連結部分は、ミシン目加工、刻み目加工、または、スリット加工のいずれかの加工が施された部分であることを特徴とするシート状表示具基材。
【請求項７】
請求項１〜６のいずれか一に記載のシート状表示具基材であって、
前記立体型表示具が三角柱形状であることを特徴とするシート状表示具基材。
【請求項８】
請求項１〜７のいずれか一に記載のシート状表示具基材を複数含むシート状表示具基材体。
【考案の詳細な説明】
【技術分野】
【０００１】
本考案は、立体型表示具及びカード型表示具を形成可能な、シート状表示具基材及びシート状表示具基材体に関する。
【背景技術】
【０００２】
講演会や、会議、結婚式の披露宴等の会合において、出席者に自分の着席位置を把握させると共に、出席者の名前が他の出席者に分かるように表示するための道具として、机上札や席札等と呼ばれる名前表示具が知られている。
【０００３】
名前表示具は、三角柱形状のものが一般的であり、四角形の面のうち、二面に出席者の名前が記載され、残りの一面が下になるよう机等の平面上に置かれて使用される。このような名前表示具は、三角柱形状であるため安定して自立できるというメリットがあるが、逆に、三角柱形状であるため保管時に場所を取ってしまうというデメリットが生じてしまう。
【０００４】
これに対し、特許文献１に示すように、未使用時には折り畳むことができる名前表示具も提案されており、安定して自立できるというメリットを損なうことなく、保管時に場所を取ってしまうというデメリットを解消している。
【先行技術文献】
【特許文献】
【０００５】
【特許文献１】特開２０１５−１６６８４２号公報
【考案の概要】
【考案が解決しようとする課題】
【０００６】
しかしながら、使用者、例えば会合の主催者等が、自ら、出席者各々の名前表示具を作るのは非常に手間がかかり、一方、業者に名前表示具の製造を依頼するのは費用がかかる。また、このような従来の名前表示具は、名前表示機能しか想定されておらず、多くの場合、会合が終了すれば廃棄されてしまうため、不経済的である。
【０００７】
本考案は従来のこのような事情に鑑みてなされたものである。本考案の主な目的は、使用者自身が、使用時には安定して自立可能な表示具を容易に形成でき、未使用時には場所を取らずに保管でき、さらに、名前表示具として使用した後にも二次利用できるシート状表示具基材及びシート状表示具基材体を提供することにある。
【課題を解決するための手段及び考案の効果】
【０００８】
本考案の第１の側面に係るシート状表示具基材によれば、切り取るためのガイドとなり、該ガイドに基づいて切り取られることで、一または複数のシート状部材を形成するための切取線である第一ガイドと、前記第一ガイドに基づいて切り取られたシート状部材を折り曲げるためのガイドとなり、該ガイドに基づいて折り曲げられることで、前記シート状部材から立体型表示具を形成するための折曲線であり、且つ、前記第一ガイドに基づいて切り取られたシート状部材を切り取るためのガイドともなり、該ガイドに基づいて切り取られることでカード型表示具を形成するための切取線でもある第二ガイドとを備えることができる。前記構成により、机等の上に自立可能な立体型表示具として使用した後にカード型表示具として再使用できる。また、使用者は、シート状表示具基材を、ガイドに基づいて切り取ったり、曲げたりすることで、極めて簡単に立体型表示具及びカード型表示具を形成できる。さらにまた、未使用時にはシート状態で保管できるため、省スペースである。
【０００９】
本考案の第２の側面に係るシート状表示具基材によれば、さらに、前記第一ガイドに基づいて切り取られたシート状部材を折り曲げるためのガイドとなり、該ガイドに基づいて折り曲げられることで、前記第二ガイドと協働して該シート状部材から立体型表示具を形成すると共に、前記立体型表示具から折り畳み式カード型表示具を形成するための折曲線である第三ガイドを備えることができる。前記構成により、カード型表示具に加え、折り畳み式カード型表示具としても再使用できる。
【００１０】
本考案の第３の側面に係るシート状表示具基材によれば、さらに、前記第一ガイドに基づいて切り取られたシート状部材を切り取るためのガイドとなり、該ガイド、または、該ガイド及び第二ガイドに基づいて切り取られることでカード型表示具を形成するための切取線である第四ガイドを備えることができる。前記構成により、様々な態様のカード型表示具を形成できる。
【００１１】
本考案の第４の側面に係るシート状表示具基材によれば、さらに、前記第二ガイド及び第四ガイドのうち少なくとも一方に基づいて切り取られたカード型表示具を折り曲げるためのガイドとなり、該ガイドに基づいて折り曲げられることで折り畳み式カード型表示具を形成するための折曲線である第五ガイドを備えることができる。前記構成により、様々な態様の折り畳み式カード型表示具を形成できる。
【００１２】
本考案の第５の側面に係るシート状表示具基材によれば、前記第一ガイド、第二ガイド、及び、第四ガイドのうち少なくとも一を脆弱な連結部分にできる。前記構成により、ガイドに基づく折り曲げが容易となり、また、ハサミ等の道具を用いることなく切り取りが行えるため、シート状表示具基材は更に簡単に使用できる。
【００１３】
本考案の第６の側面に係るシート状表示具基材によれば、前記連結部分は、ミシン目加工、刻み目加工、または、スリット加工のいずれかの加工を施すことができる。
【００１４】
本考案の第７の側面に係るシート状表示具基材によれば、前記立体型表示具を三角柱形状にできる。
【００１５】
本考案の第８の側面に係るシート状表示具基材体によれば、前記シート状表示具基材を複数含むことができる。前記構成により、シート状表示具基材体は、シート状表示具基材の態様を変えることなく、様々な印刷設備の環境に適した態様にできるから、印刷設備の環境によらず表示させる情報を印刷することができる。
【図面の簡単な説明】
【００１６】
【図１】本考案の第一実施例に係るシート状表示具基材の構成図である。
【図２】シート状表示具基材からシート状部材を形成する工程の説明図である。
【図３】図３Ａ、３Ｂは、第一ミシン目の別態様の説明図である。
【図４】シート状部材から三角柱形状の立体型表示具を形成する工程の説明図である。
【図５】三角柱形状の立体型表示具からカード型表示具を形成する工程の説明図である。
【図６】図６Ａ、６Ｂは、第二ミシン目の別態様の説明図である。
【図７】切れ目を用いて立体型表示具の形状を三角柱形状に固定する工程の説明図である。
【図８】本考案の第一実施例に係るシート状表示具基材の使用手順の説明図である。
【図９】本考案の第二実施例に係るシート状表示具基材の構成図である。
【図１０】本考案の第二実施例に係るシート状表示具基材の断面図である。
【考案を実施するための形態】
【００１７】
以下、本考案の実施の形態を図面に基づいて説明する。ただし、以下に示す実施の形態は、本考案の技術思想を具体化するためのシート状表示具基材を例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
（シート状表示具基材１）
【００１８】
以下、本考案の第一実施例に係るシート状表示具基材１について、図１〜図８に基づいて説明する。本考案に係るシート状表示具基材１は、Ａ４サイズの紙製シート１０からなり、図１に示すように、４本の第一ミシン目１１ａ〜１１ｄ（特許請求の範囲における「第一ガイド」の一例に対応する。）と、６本の第二ミシン目１２ａ〜１２ｆ（特許請求の範囲における「第二ガイド」の一例に対応する。）と、４つの切れ目１３ａ〜１３ｄとを備える。
【００１９】
シート状表示具基材１は、第一ミシン目１１に沿って切り取られることでシート状部材１４となり、シート状部材１４は、第二ミシン目１２に沿って折り曲げられることで立体型表示具１６となり、立体型表示具１６は、第二ミシン目１２に沿って切り取られることでカード型表示具１７となる（詳細は後述する）。
【００２０】
なお、紙製シート１０の大きさは、Ａ４サイズに限定されず、例えば、Ａ１サイズやＡ２サイズ、Ｂ３サイズ等であってもよい。また、紙製シート１０の材質は、一般的な紙に限定されず、具体的に、表面に印刷可能な、合成紙、樹脂フィルム、金属箔等を用いることができる。また、耐水性の樹脂等でコーティングされていたり、被覆層に炭酸カルシウム、二酸化チタン等の添加剤を含有し筆記性が付与されていたりする紙を用いてもよい。さらにまた、シート状表示具基材１には、インクジェットプリンターやレーザープリンターに対する適性を備えた紙、すなわち、表面に印刷適性を持つように処理された紙や特殊フィルムを用いることが好ましく、用紙自身の堅牢性を高めるために、填料、すなわち充填材を紙表面もしくは紙内に多く含有させてもよい。
（第一ミシン目１１ａ〜１１ｄ）
【００２１】
第一ミシン目１１ａ〜１１ｄは、シート状表示具基材１に設けられた４本のミシン目である。使用者は、図２に示すように、第一ミシン目１１ａ〜１１ｄに沿ってシート状表示具基材１を切り取ることで、４枚のシート状部材１４ａ〜１４ｄと、切端１５ａ、１５ｂを形成できる。
【００２２】
なお、第一ミシン目１１の数は４本に限られず、また、切端１５は必ずしも設けなくてもよい。具体的には、図３Ａに示すように３本の第一ミシン目１１を設け、６枚のシート状部材１４を形成できる態様にしたり、図３Ｂに示すように４本の第一ミシン目１１を設け、９枚のシート状部材１４を形成できる態様にしたりしてもよい。このように第一ミシン目１１の数を変更することで、一シート状表示具基材１から形成可能なシート状部材１４の数を変更することができる。
（第二ミシン目１２ａ〜１２ｆ）
【００２３】
第二ミシン目１２ａ〜１２ｆは、シート状表示具基材１に設けられた６本のミシン目である。また、第二ミシン目１２ａ〜１２ｆは、図２に示すように、シート状表示具基材１を第一ミシン目１１ａ〜１１ｄに沿って切り取った際、第二ミシン目１２ａ〜１２ｃがシート状部材１４ａ及びシート状部材１４ｂ内に配され、第二ミシン目１２ｄ〜１２ｆがシート状部材１４ｃ及びシート状部材１４ｄ内に配されるようシート状表示具基材１に設けられる。
【００２４】
使用者は、図４に示すように、第二ミシン目１２ａ〜１２ｃに沿ってシート状部材１４ａを折り曲げることで、三角柱形状の立体型表示具１６ａを形成でき、さらに、図５に示すように、第二ミシン目１２ａ〜１２ｃに沿って立体型表示具１６ａを切り取ることで、一つの立体型表示具１６につき２枚のカード型表示具１７を形成できる。なお、図４は、シート状部材１４ａから立体型表示具１６ａを、図５は、立体型表示具１６ａからカード型表示具１７を形成する工程を説明した図であるが、図２に示すシート状部材１４ｂについてもシート状部材１４ａと同様の工程で、立体型表示具１６ｂ及びカード型表示具１７を形成することができる。また、図２に示すシート状物１４ｃ、１４ｄについては、第二ミシン目１２ｄ〜１２ｆに沿って折り曲げることで、それぞれ、三角柱形状の立体型表示具１６ｃ、１６ｄを形成し、立体型表示具１６ｃ、１６ｄを第二ミシン目１２ｄ〜１２ｆに沿って切り取ることで、カード型表示具１７を形成することができる。
【００２５】
なお、第二ミシン目１２の数は６本に限定されない。具体的には、図６Ａに示すように、シート状部材１４に１本の第二ミシン目１２が配されるよう構成し、への字形状の立体型表示具１６と２枚のカード型表示具１７とを形成できる態様にしたり、図６Ｂに示すように、シート状部材１４に４本の第二ミシン目１２が配されるよう構成し、四角柱形状の立体型表示具１６と３枚のカード型表示具１７とを形成できる態様にしたりしてもよい。
【００２６】
また、前述の第一ミシン目１１及び第二ミシン目１２の態様は特に限定されないが、マイクロミシン目が好ましい。これは、切断部及び非切断部の間隔が、一般的なミシン目（切断部：２ｍｍ、非切断部：０．６ｍｍ）に比べ、マイクロミシン目（切断部：０．３ｍｍ、非切断部：０．２ｍｍ）の方が狭く、形成される立体型表示具１６及びカード型表示具１７の端辺が滑らかになるためである。
【００２７】
また、プレス機械等を用いて、一部の第二ミシン目１２の代わりの折曲線（特許請求の範囲における「第三ガイド」の一例に対応する。）、もしくは、第二ミシン目１２とは別に折曲線（特許請求の範囲における「第五ガイド」の一例に対応する。）を設け、この折曲線を利用して、２つ折りや３つ折り、または、それ以上に折り畳んで、コンパクトにできるカード型表示具（特許請求の範囲における「折り畳み式カード型表示具」の一例に対応する。）を形成できるようにしてもよい。
【００２８】
また、前述の第一ミシン目１１及び第二ミシン目１２とは別にミシン目（特許請求の範囲における「第四ガイド」の一例に対応する。）を設け、カード型表示具１７と大きさや形状が異なるカード型表示具を形成できるようにしてもよい。
（切れ目１３ａ〜１３ｄ）
【００２９】
切れ目１３ａ〜１３ｄは、シート状表示具基材１に設けられた４本の切れ目であり、図２に示すように、シート状表示具基材１を第一ミシン目１１ａ〜１１ｄに沿って切り取った際、切れ目１３ａ、１３ｂがシート状部材１４ａ、１４ｃ内に配され、切れ目１３ｃ、１３ｄがシート状部材１４ｂ、１４ｄ内に配されるようシート状表示具基材１に設けられる。
【００３０】
使用者は、第二ミシン目１２を折り曲げて形成した立体型表示具１６において、図７に示すように、切れ目１３を用いることで、切れ目１３が設けられた端辺と対向する端辺とを係合させることができる。これにより、立体型表示具１６の形状を三角柱形状に固定できる。
【００３１】
なお、切れ目１３は前記構成に限定されず、切れ目１３の数は適宜変更してもよいし、設けなくてもよい。例えば、立体型表示具１６の形状を前述のへの字形状とする場合は、切れ目１３を設ける必要がない。また、切れ目１３に変えて、接着剤やボタン、面ファスナー、磁石等によって立体型表示具１６の形状を固定できる態様にしてもよいし、切れ目に対応するミシン目を設け、使用者がこのミシン目に沿って切り取ることで切れ目を形成するようにしてもよい。
（シート状表示具基材１の製造方法）
【００３２】
以下、本考案の第一実施例に係るシート状表示具基材１の製造方法について説明する。シート状表示具基材１は、材料となるＡ４サイズの紙製シート１０に、打ち抜き加工機等を用いて第一ミシン目１１ａ〜１１ｄ及び第二ミシン目１２ａ〜１２ｆを形成し、その後、スリット加工によって切れ目１３ａ〜１３ｄを形成することで製造できる。このように、シート状表示具基材１は、容易に製造可能である。なお、製造方法は前述のものに限定されず、材料、加工方法、加工機械及び道具、製造手順等は適宜変更してよい。
（シート状表示具基材１の使用方法）
【００３３】
以下、本考案の第一実施例に係るシート状表示具基材１の使用手順について、図８に基づいて説明する。
【００３４】
先ず、ステップＳＴ１０１で、シート状表示具基材１を用意し、ステップＳＴ１０２で、表示させる情報を複写機やプリンターで印刷する。なお、表示させる情報は特に限定されない。例えば、立体型表示具１６を講演会や、会議、結婚式の披露宴等の会合における名前表示具として用いるのであれば、名前や年齢、肩書き等を印刷する。また、会合の主催者に関するロゴや広告等を印刷しておいてもよい。また、印刷は、片面であっても両面であってもよいし、複写機やプリンターを用いず、手書きで情報を記載してもよい。さらにまた、カレンダーとともに広告や企業名、マスコットキャラクター等を印刷することで、立体型表示具１６を販促用の卓上カレンダーとして使用することもできる。
【００３５】
次に、ステップＳＴ１０３で立体型表示具１６を形成する。具体的な手順としては、まず、ステップＳＴ１０３ａで、シート状表示具基材１を第一ミシン目１１に沿って切り取りシート状部材１４を形成し（図２参照。）、次に、ステップＳＴ１０３ｂで、シート状部材１４を第二ミシン目１２に沿って折り曲げ、最後に、ステップＳＴ１０３ｃで、切れ目１３を用いて立体型表示具１６の形状を三角柱形状に固定することで、立体型表示具１６を形成できる。これにより、使用者は、安定して自立可能な表示具として立体型表示具１６を使用することができる。また、立体型表示具１６は、極めて簡単な手順で形成できる。
【００３６】
次いで、ステップＳＴ１０４で立体型表示具１６を第二ミシン目１２に沿って切り取ることでカード型表示具１７を形成する。これにより、シート状表示具基材１は立体型表示具１６として使用した後に、カード型表示具１７として二次利用できる。具体的には、立体型表示具１６を、前述の名前表示具として使用した場合にはプロフィールカードとして二次利用できる。また、前述の卓上カレンダーとして使用した場合にはカード型カレンダーとして形態を変えて使用することもできる。さらにまた、ステップＳＴ１０２において、表面に表示させる情報を印刷し、裏面に企業情報や商品情報等を印刷することで広告として利用することもできる。
（シート状表示具基材２）
【００３７】
本考案の第二実施例に係るシート状表示具基材２について、図９及び図１０に基づいて説明する。シート状表示具基材２は、図９に示すように、シート状表示具基材１における、「紙製シート１０」を「２枚の紙材２０ａ（特許請求の範囲における「シート状物」の一例に対応する。）と、２枚の紙の間に介在し２枚の紙を接着する樹脂接着層２０ｂとからなるＡ４サイズの多層シート２０」に、「第一ミシン目１１」を「第一連結部分２１」に、「第二ミシン目１２」を「第二連結部分２２」に変更した態様である。以下では、変更点である、多層シート２０、第一連結部分２１及び第二連結部分２２について詳細に説明する（その他についてはシート状表示具基材１と同様であるので説明を省略する。）。
（多層シート２０）
【００３８】
多層シート２０は、図１０に示すように、２枚の紙材２０ａを樹脂接着層２０ｂで接着したシート状部材である。なお、多層シート２０は前記構成に限定されず、１枚の紙材２０ａと、紙材２０ａに塗布された樹脂接着層２０ｂとで構成された２層のシート状部材であってもよい。また、紙材２０ａの態様は特に限定されず、例えば、シート状表示具基材１における紙製シート１０と同じ態様であってもよい。
【００３９】
また、樹脂接着層２０ｂは、ガラス遷移性樹脂と顔料粒子と弾性保持剤とを含む。これにより、シート状表示具基材２から形成される立体型表示具２６及びカード型表示具２７の端辺が滑らかで、毛羽立ちがなく、シート状表示具基材２の切り取りが容易になる。なお、ガラス遷移性樹脂、顔料粒子及び弾性保持剤の種類及び含有量は特に限定されない。また、樹脂接着層２０ｂの厚さは、特に限定はないが、後述する第一連結部分２１及び第二連結部分２２に沿ってシート状表示具基材２を切り取る際に、手でちぎり易く、且つ、印刷時における印刷ローラの牽引力でちぎれない程度の強度にするため、９０μｍ以下であることが好ましく、８０μｍ以下が更に好ましく、７０μｍ以下が特に好ましい。さらにまた、樹脂接着層２０ｂは、２枚の紙材２０ａが剥がれない程度に接着されていることが好ましい。
（第一連結部分２１及び第二連結部分２２）
【００４０】
第一連結部分２１及び第二連結部分２２は、図１０に示すように、樹脂接着層２０ｂと、２枚の紙材２０ａの対向位置にそれぞれ設けられた一組のスリット２０ｃとからなる。これにより、第一連結部分２１及び第二連結部分２２は、他の部分と比べ強度が低くなるため、スリット２０ｃに沿って手でちぎるだけで、簡単に切り取ることができる。なお、第一連結部分２１及び第二連結部分２２は前記構成に限定されず、例えば、スリット２０ｃに代えて、紙材２０ａに線状に刻み目を設けて部分的に薄厚にしてもよい。
（シート状表示具基材体３）
【００４１】
本考案に係るシート状表示具基材体３は、複数のシート状表示具基材１を切り出すことができるシートである。具体的には、Ａ１サイズのシート状表示具基材体３であれば８つのＡ４サイズのシート状表示具基材１を、Ａ２サイズのシート状表示具基材体３であれば４つのＡ４サイズのシート状表示具基材１を、Ａ３サイズのシート状表示具基材体３であれば２つのＡ４サイズのシート状表示具基材１を切り出すことができる。つまり、本考案に係るシート状表示具基材体３は、複数のＡ４サイズのシート状表示具基材１を１つにまとめ、シート全体をＡ４サイズと異なるサイズにできる。
【００４２】
現実的に、一般的な複写機やプリンターであれば、Ａ４サイズやＡ３サイズの印刷ができ、印刷会社等の大型の複写機やプリンターであればＡ１サイズやＡ２サイズの印刷が好適であるというように、印刷設備の環境によって、印刷可能な、もしくは、好適に印刷できるシートサイズは異なる。このような場合であっても、シート状表示具基材体３は、シート状表示具基材１の態様を変えることなく、様々な印刷設備の環境に適した態様にできるから、印刷設備の環境によらず表示させる情報を印刷することができる。
【００４３】
加えて、例えば、使用者自らが、一般的な複写機やプリンターを用いてＡ３サイズのシート状表示具基材体３に表示させる情報を印刷した場合、または、使用者が印刷会社等に表示させる情報の印刷を依頼し、大型の複写機やプリンターを用いてＡ１サイズのシート状表示具基材体３に表示させる情報を印刷した場合、或いは、その他の方法で表示させる情報を印刷した場合であったとしても、使用者は、最終的に、同一のシート状表示具基材１を手にすることが可能である。
【００４４】
なお、シート状表示具基材体３やシート状表示具基材１のサイズは特に限定されず、シート状表示具基材はシート状表示具基材２の態様であってもよい。また、シート状表示具基材体３からシート状表示具基材１の切り出しは、裁断機を用いてもよいし、シート状表示具基材体３における、シート状表示具基材１の境界部分を、第一ミシン目１１や第一連結部分等と同様に手でちぎれる構成にしてもよい。
【００４５】
以上説明したように、本考案に係るシート状表示具基材１及びシート状表示具基材２は、使用者自身が、安定して自立が可能な立体型表示具を容易に形成できる。また、未使用時には、シート形状であるため、場所を取らずに保管でき、立体型表示具として使用した後は、カード型表示具として再利用が可能である。
【産業上の利用可能性】
【００４６】
本考案によれば、立体型またはカード型の表示具を容易に形成でき、また、場所を取らずに保管できるといった、使用者のニーズに合ったシート状表示具基材を提供でき、さらに、容易に生産できることから、産業上の利用可能性が高い。
【符号の説明】
【００４７】
１…シート状表示基材
１０…紙製シート
１１ａ〜１１ｄ、１１…第一ミシン目
１２ａ〜１２ｆ、１２…第二ミシン目
１３ａ〜１３ｄ、１３…切れ目
１４ａ〜１４ｄ、１４…シート状部材
１５ａ、１５ｂ、１５…切端
１６ａ〜１６ｆ、１６…立体型表示具
１７…カード型表示具
２…シート状表示基材
２０…多層シート；２０ａ…紙材；２０ｂ…樹脂接着剤層；２０ｃ…スリット
２１…第一連結部分
２２…第二連結部分
２６…立体型表示具
２７…カード型表示具
３…シート状表示具基材体
【図１】
0003213735.tif 000003
【図２】
0003213735.tif 000004
【図３】
0003213735.tif 000005
【図４】
0003213735.tif 000006
【図５】
0003213735.tif 000007
【図６】
0003213735.tif 000008
【図７】
0003213735.tif 000009
【図８】
0003213735.tif 000010
【図９】
0003213735.tif 000011
【図１０】
0003213735.tif 000012
【手続補正書】
【提出日】平成29年9月27日(2017.9.27)
【手続補正１】
【補正対象書類名】実用新案登録請求の範囲
【補正対象項目名】全文
【補正方法】変更
【補正の内容】
【実用新案登録請求の範囲】
【請求項１】
切り取るためのガイドとなり、該ガイドに基づいて切り取られることで、一または複数のシート状部材を形成するための切取線である第一ガイドと、
前記第一ガイドに基づいて切り取られたシート状部材を折り曲げるためのガイドとなり、該ガイドに基づいて折り曲げられることで、前記シート状部材から立体型表示具を形成するための折曲線であり、且つ、前記第一ガイドに基づいて切り取られたシート状部材を切り取るためのガイドともなり、該ガイドに基づいて切り取られることでカード型表示具を形成するための切取線でもある第二ガイドと、
を備えるシート状表示具基材。
【請求項２】
請求項１に記載のシート状表示具基材であって、さらに、
前記第一ガイドに基づいて切り取られたシート状部材を折り曲げるためのガイドとなり、該ガイドに基づいて折り曲げられることで、前記第二ガイドと協働して該シート状部材から立体型表示具を形成すると共に、前記立体型表示具から折り畳み式カード型表示具を形成するための折曲線である第三ガイドを備えるシート状表示具基材。
【請求項３】
請求項１または請求項２に記載のシート状表示具基材であって、さらに、
前記第一ガイドに基づいて切り取られたシート状部材を切り取るためのガイドとなり、該ガイド、または、該ガイド及び第二ガイドに基づいて切り取られることでカード型表示具を形成するための切取線である第四ガイドを備えるシート状表示具基材。
【請求項４】
請求項１または請求項２に記載のシート状表示具基材であって、さらに、
前記第二ガイドに基づいて切り取られたカード型表示具を折り曲げるためのガイドとなり、該ガイドに基づいて折り曲げられることで折り畳み式カード型表示具を形成するための折曲線である第五ガイドを備えるシート状表示具基材。
【請求項５】
請求項３に記載のシート状表示具基材であって、さらに、
前記第二ガイド及び第四ガイドのうち少なくとも一方に基づいて切り取られたカード型表示具を折り曲げるためのガイドとなり、該ガイドに基づいて折り曲げられることで折り畳み式カード型表示具を形成するための折曲線である第五ガイドを備えるシート状表示具基材。
【請求項６】
請求項１、請求項２または請求項４に記載のシート状表示具基材であって、
前記第一ガイド及び第二ガイドのうち少なくとも一が脆弱な連結部分であることを特徴とするシート状表示具基材。
【請求項７】
請求項３または請求項５に記載のシート状表示具基材であって、
前記第一ガイド、第二ガイド、及び、第四ガイドのうち少なくとも一が脆弱な連結部分であることを特徴とするシート状表示具基材。
【請求項８】
請求項６または請求項７に記載のシート状表示具基材であって、
前記連結部分は、ミシン目加工、刻み目加工、または、スリット加工のいずれかの加工が施された部分であることを特徴とするシート状表示具基材。
【請求項９】
請求項１〜８のいずれか一に記載のシート状表示具基材であって、
前記立体型表示具が三角柱形状であることを特徴とするシート状表示具基材。
【請求項１０】
請求項１〜９のいずれか一に記載のシート状表示具基材を複数含むシート状表示具基材体。